(57)【要約】【課題】  冗長系の光スイッチモジュールが１つの場合でも、簡単な構成で１以上の光信号（波長）の個別故障に対応する。【解決手段】  第１の波長分波器および第１の波長合波器が接続される第１の光スイッチモジュールと同様に第２の波長分波器および第２の波長合波器に接続される第２の光スイッチモジュールと、入力側の各波長多重光伝送路の波長多重光信号をそれぞれ分岐して第２の波長分波器に接続する光分岐手段と、第２の波長合波器に接続され、それぞれ合波された波長多重光信号を出力側の各波長多重光伝送路に結合させる光結合手段と、光分岐手段と第２の波長分波器との間または第２の波長合波器と光結合手段との間に、第１の光スイッチモジュールでクロスコネクトができず第２の光スイッチモジュールを介して迂回させる波長の光信号を通過させ、他の波長の光信号を阻止する波長選択阻止器とを備える。【選択図】        図１
2008042245.tif 000002
【特許請求の範囲】
【請求項１】
複数ｍ×ｎの入力ポートおよび複数ｍ×ｎの出力ポートを有する第１の光スイッチモジュールを備え、複数ｍ本の入力側の波長多重光伝送路から入力する波長多重光信号（波長λ１〜λｎ：ｎは２以上の整数）をそれぞれ各波長の光信号に分波する第１の波長分波器を介して各入力ポートに入力し、クロスコネクト接続により各出力ポートから出力される各波長の光信号を出力側の複数ｍ本の波長多重光伝送路にそれぞれ対応する第１の波長合波器で合波し、波長多重光信号（波長λ１〜λｎ）として出力側の各波長多重光伝送路に出力する光クロスコネクト装置において、
前記第１の波長分波器および前記第１の波長合波器と同様の構成の第２の波長分波器および第２の波長合波器と、
前記第１の光スイッチモジュールと同様に前記第２の波長分波器および前記第２の波長合波器に接続され、同様にクロスコネクト制御が行われる第２の光スイッチモジュールと、
前記入力側の各波長多重光伝送路に接続され、入力する波長多重光信号をそれぞれ分岐して前記第２の波長分波器に接続する光分岐手段と、
前記第２の波長合波器に接続され、それぞれ合波された波長多重光信号を前記出力側の各波長多重光伝送路に結合させる光結合手段と、
前記光分岐手段と前記第２の波長分波器との間、または前記第２の波長合波器と前記光結合手段との間に、前記第１の光スイッチモジュールの障害で接続できず前記第２の光スイッチモジュールを介して迂回させる波長の光信号を通過させ、他の波長の光信号を阻止する波長選択阻止器と
を備えたことを特徴とする光クロスコネクト装置。
【請求項２】
請求項１に記載の光クロスコネクト装置において、
前記波長選択阻止器に代えて、前記第２の光スイッチモジュールに、前記第２の光スイッチモジュールを介して迂回させる波長の光信号を通過させ、他の波長の光信号を阻止する機能を含む構成である
ことを特徴とする光クロスコネクト装置。
【請求項３】
請求項１に記載の光クロスコネクト装置において、
前記第１の光スイッチモジュールおよび前記第２の光スイッチモジュールの各出力ポートに波長変換器を備え、
前記波長選択阻止器に代えて、前記波長変換器に、前記第２の光スイッチモジュールを介して迂回させる波長の光信号を通過させ、他の波長の光信号を阻止する機能を含む構成である
ことを特徴とする光クロスコネクト装置。
【請求項４】
請求項１に記載の光クロスコネクト装置において、
前記第２の光スイッチモジュールに接続される前記第２の波長分波器および前記第２の波長合波器に別系統の波長多重光伝送路を接続し、
前記波長選択阻止器に代えて、
前記第２の波長分波器の前段に、前記第２の光スイッチモジュールを迂回させる波長の光信号を前記別系統の波長多重光伝送路の波長多重光信号の当該波長の光信号と入れ換えて合波する第１の波長選択スイッチを接続し、
前記前記第２の波長合波器の後段に、出力される波長多重光信号から前記第２の光スイッチモジュールを迂回させる波長の光信号を分波し、他の波長の光信号を前記別系統の波長多重光伝送路に出力する第２の波長選択スイッチを接続した
ことを特徴とする光クロスコネクト装置。
【請求項５】
請求項４に記載の光クロスコネクト装置において、
前記第１の波長分波器の前段に、前記第１の波長選択スイッチと同様の機能を有する第３の波長選択スイッチを接続し、
前記第１の波長合波器の後段に、前記第２の波長選択スイッチと同様の機能を有する第４の波長選択スイッチを接続し、
２系統の波長多重光伝送路の間で所定の波長の光信号の迂回処理を行う構成である
ことを特徴とする光クロスコネクト装置。
【請求項６】
複数ｍ×ｎの入力ポートおよび複数ｍ×ｎの出力ポートを有する第１の光スイッチモジュールを備え、複数ｍ本の入力側の波長多重光伝送路から入力する波長多重光信号（波長λ１〜λｎ：ｎは２以上の整数）をそれぞれ各波長の光信号に分波する第１の波長分波器を介して各入力ポートに入力し、クロスコネクト接続により各出力ポートから出力される各波長の光信号を出力側の複数ｍ本の波長多重光伝送路にそれぞれ対応する第１の波長合波器で合波し、波長多重光信号（波長λ１〜λｎ）として出力側の各波長多重光伝送路に出力する光クロスコネクト制御方法において、
前記第１の光スイッチモジュール、第１の波長分波器および第１の波長合波器と同様の第２の光スイッチモジュール、第２の波長分波器および第２の波長合波器を備え、
前記各波長多重光伝送路のそれぞれの波長多重光信号を前記第２の光スイッチモジュールを介して迂回させるときに、前記第１の光スイッチモジュールの障害で接続できない波長の光信号のみ通過させ、他の波長の光信号を阻止する
ことを特徴とする光クロスコネクト制御方法。
【発明の詳細な説明】
【技術分野】
【０００１】
本発明は、複数の光信号の経路を切り替える光クロスコネクト装置および光クロスコネクト制御方法に関する。
【背景技術】
【０００２】
一般に、光ネットワークシステムでは、複数の光信号の経路を切り替えるために光クロスコネクト装置が用いられる。光クロスコネクト装置は、複数の光信号入力部と光信号出力部との間に配置されるスイッチ部において、任意の入力線と出力線を一意に接続し、また要求に応じて接続組み合わせの変更を可能とする構成である（特許文献１）。このような光クロスコネクト装置に用いられるスイッチ部には、構成の簡易さ、コストおよび信頼性の観点から、光信号を電気信号に変換せずに光信号のまま切り替えを行う光スイッチが用いられることが多い。
【０００３】
図８は、波長多重光伝送システムに用いられる光クロスコネクト装置の構成例を示す。図において、ｍ本（ｍは２以上の整数）の光ファイバ伝送路１〜ｍからそれぞれ波長多重光信号Ｓ１〜Ｓｍが入力され、波長分波器１２−１〜１２−ｍでそれぞれ波長λ１〜λｎ（ｎは２以上の整数）の光信号に分波して光スイッチモジュール１０の各入力ポートに入力される。光スイッチモジュール１０は、スイッチ制御回路（図示せず）の制御によりｎ×ｍ本の光信号をクロスコネクトし、波長λ１〜λｎごとにｍ組の各出力ポートに出力する。光スイッチモジュール１０の出力ポートから出力される波長λ１〜λｎごとにｍ組の光信号は、出力側の光ファイバ伝送路１〜ｍにそれぞれ対応する波長合波器１３−１〜１３−ｍで合波され、波長多重光信号Ｓ１〜Ｓｍが各光ファイバ伝送路１〜ｍにそれぞれ出力される。
【０００４】
ここで、波長合波器１３で波長多重する場合には、各光信号の波長が互いに異なっている必要があるが、一般に各光ファイバ伝送路の波長多重光信号に用いられる波長は、ここではそれぞれλ１〜λｎというように同じ場合が多い。そのため、各波長合波器１３に対応する光スイッチモジュール１０のｎ個の出力ポートには同じ波長の光信号がクロスコネクトされる場合もある。このような場合には、図９に示すように、各波長合波器１３に対応する光スイッチモジュール１０のｎ個の出力ポートの一部または全部に波長変換器１４を備え、波長競合が起こった場合にはどちらかの波長を変換してから波長合波器１３に入力し、波長多重する構成がある。なお、波長変換器１４を入力ポート側に挿入する構成もある。
【０００５】
このような光クロスコネクト装置では、光スイッチモジュール１０の故障に備えて、図１０に示すように冗長系の光スイッチモジュール２０が用いられる。ｍ本の光ファイバ伝送路１〜ｍから入力する波長多重光信号Ｓ１〜Ｓｍは、光カプラ２１−１〜２１−ｍで分岐して冗長系の波長分波器２２−１〜２２−ｍに入力され、それぞれ分波された各波長の光信号が冗長系の光スイッチモジュール２０の入力ポートに入力される。光スイッチモジュール２０でクロスコネクトされ、出力ポートから出力される各波長の光信号は、冗長系の波長合波器２３−１〜２３−ｍで合波され、それぞれの波長多重光信号Ｓ１〜Ｓｍが光カプラ２４−１〜２４−ｍを介して各光ファイバ伝送路１〜ｍに出力される。スイッチ制御回路は、光スイッチモジュール１０に故障が発生した場合に冗長系の光スイッチモジュール２０に切り替えることにより、ｎ×ｍ本の光信号のクロスコネクトを継続することができる。
【０００６】
なお、波長分波器１２−１〜１２−ｍの出力側、波長合波器１３−１〜１３−ｍの入力側に光カプラを挿入し、冗長系の光スイッチモジュール２０を接続するようにしても同様である。
【特許文献１】特開平０６−２９２２４６号公報
【発明の開示】
【発明が解決しようとする課題】
【０００７】
従来の光クロスコネクト装置における冗長構成では、光スイッチモジュール１０でクロスコネクトするｎ×ｍ本の光信号のうち１つの光信号（波長）に故障が発生した場合でも冗長系の光スイッチモジュール２０への切り替えが必要になる。そのため、冗長系の光スイッチモジュールが１つであれば、次に他の光信号（波長）に故障が発生した場合にさらに切り替える光スイッチモジュールは存在せず、故障復旧が不可能になる。
【０００８】
本発明は、冗長系の光スイッチモジュールが１つの場合でも、簡単な構成で１以上の光信号（波長）の個別故障に対応することができる光クロスコネクト装置および光クロスコネクト制御方法を提供することを目的とする。
【課題を解決するための手段】
【０００９】
第１の発明は、複数ｍ×ｎの入力ポートおよび複数ｍ×ｎの出力ポートを有する第１の光スイッチモジュールを備え、複数ｍ本の入力側の波長多重光伝送路から入力する波長多重光信号（波長λ１〜λｎ：ｎは２以上の整数）をそれぞれ各波長の光信号に分波する第１の波長分波器を介して各入力ポートに入力し、クロスコネクト接続により各出力ポートから出力される各波長の光信号を出力側の複数ｍ本の波長多重光伝送路にそれぞれ対応する第１の波長合波器で合波し、波長多重光信号（波長λ１〜λｎ）として出力側の各波長多重光伝送路に出力する光クロスコネクト装置において、第１の波長分波器および第１の波長合波器と同様の構成の第２の波長分波器および第２の波長合波器と、第１の光スイッチモジュールと同様に第２の波長分波器および第２の波長合波器に接続され、同様にクロスコネクト制御が行われる第２の光スイッチモジュールと、入力側の各波長多重光伝送路に接続され、入力する波長多重光信号をそれぞれ分岐して第２の波長分波器に接続する光分岐手段と、第２の波長合波器に接続され、それぞれ合波された波長多重光信号を出力側の各波長多重光伝送路に結合させる光結合手段と、光分岐手段と第２の波長分波器との間、または第２の波長合波器と光結合手段との間に、第１の光スイッチモジュールの障害で接続できず第２の光スイッチモジュールを介して迂回させる波長の光信号を通過させ、他の波長の光信号を阻止する波長選択阻止器とを備える。
【００１０】
第２の発明は、第１の発明における波長選択阻止器に代えて、第２の光スイッチモジュールに、第２の光スイッチモジュールを介して迂回させる波長の光信号を通過させ、他の波長の光信号を阻止する機能を含む構成である。
【００１１】
第３の発明は、第１の発明における第１の光スイッチモジュールおよび第２の光スイッチモジュールの各出力ポートに波長変換器を備え、第１の発明における波長選択阻止器に代えて、波長変換器に、第２の光スイッチモジュールを介して迂回させる波長の光信号を通過させ、他の波長の光信号を阻止する機能を含む構成である。
【００１２】
第４の発明は、第２の光スイッチモジュールに接続される第２の波長分波器および第２の波長合波器に別系統の波長多重光伝送路を接続し、第１の発明における波長選択阻止器に代えて、第２の波長分波器の前段に、第２の光スイッチモジュールを迂回させる波長の光信号を別系統の波長多重光伝送路の波長多重光信号の当該波長の光信号と入れ換えて合波する第１の波長選択スイッチを接続し、第２の波長合波器の後段に、出力される波長多重光信号から第２の光スイッチモジュールを迂回させる波長の光信号を分波し、他の波長の光信号を別系統の波長多重光伝送路に出力する第２の波長選択スイッチを接続する構成である。
【００１３】
第５の発明は、第４の発明における第１の波長分波器の前段に、第１の波長選択スイッチと同様の機能を有する第３の波長選択スイッチを接続し、第１の波長合波器の後段に、第２の波長選択スイッチと同様の機能を有する第４の波長選択スイッチを接続し、２系統の波長多重光伝送路の間で所定の波長の光信号の迂回処理を行う構成である。
【００１４】
第６の発明は、複数ｍ×ｎの入力ポートおよび複数ｍ×ｎの出力ポートを有する第１の光スイッチモジュールを備え、複数ｍ本の入力側の波長多重光伝送路から入力する波長多重光信号（波長λ１〜λｎ：ｎは２以上の整数）をそれぞれ各波長の光信号に分波する第１の波長分波器を介して各入力ポートに入力し、クロスコネクト接続により各出力ポートから出力される各波長の光信号を出力側の複数ｍ本の波長多重光伝送路にそれぞれ対応する第１の波長合波器で合波し、波長多重光信号（波長λ１〜λｎ）として出力側の各波長多重光伝送路に出力する光クロスコネクト制御方法において、第１の光スイッチモジュール、第１の波長分波器および第１の波長合波器と同様の第２の光スイッチモジュール、第２の波長分波器および第２の波長合波器を備え、各波長多重光伝送路のそれぞれの波長多重光信号を第２の光スイッチモジュールを介して迂回させるときに、第１の光スイッチモジュールの障害で接続できない波長の光信号のみ通過させ、他の波長の光信号を阻止する。
【発明の効果】
【００１５】
本発明は、光クロスコネクト装置の光スイッチモジュールを二重化し、１以上の光信号（波長）の個別故障に対応してそれぞれ迂回経路を形成することができる。また、二重化した光スイッチモジュールでも別系統の波長多重光信号のクロスコネクト処理を行いながら、一方の系統の波長多重光信号の一部の光信号（波長）のクロスコネクトに故障が発生した場合に、他方の系統の当該波長の光信号と入れ換えて迂回経路を形成することができる。これにより、経済的で安定な冗長系のシステムを構成することができ、ネットワークの信頼性および運用性の向上を図ることができる。
【発明を実施するための最良の形態】
【００１６】
（第１の実施形態）
図１は、本発明の光クロスコネクト装置の第１の実施形態を示す。
図において、ｍ本の光ファイバ伝送路１〜ｍからそれぞれ波長多重光信号Ｓ１〜Ｓｍが入力され、光カプラ２１−１〜２１−ｍで分岐された一方の波長多重光信号Ｓ１〜Ｓｍは、波長分波器１２−１〜１２−ｍでそれぞれ波長λ１〜λｎの光信号に分波して光スイッチモジュール１０の各入力ポートに入力される。また、光カプラ２１−１〜２１−ｍで分岐された他方の波長多重光信号Ｓ１〜Ｓｍは、波長分波器２２−１〜２２−ｍでそれぞれ波長λ１〜λｎの光信号に分波して光スイッチモジュール２０の各入力ポートに入力される。
【００１７】
光スイッチモジュール１０は、スイッチ制御回路（図示せず）の制御によりｎ×ｍ本の光信号をクロスコネクトして各出力ポートに出力する。光スイッチモジュール１０の出力ポートから出力される各波長の光信号は、ｍ本の光ファイバ伝送路１〜ｍにそれぞれ対応する波長合波器１３−１〜１３−ｍで合波され、波長多重光信号Ｓ１〜Ｓｍが光カプラ２４−１〜２４−ｍを介して各光ファイバ伝送路１〜ｍにそれぞれ出力される。
【００１８】
一方、光スイッチモジュール２０は、スイッチ制御回路の制御により光スイッチモジュール１０と同様に、ｎ×ｍ本の光信号をクロスコネクトして各出力ポートに出力する。光スイッチモジュール２０の出力ポートから出力される各波長の光信号は、ｍ本の光ファイバ伝送路１〜ｍにそれぞれ対応する波長合波器２３−１〜２３−ｍで合波され、波長多重光信号Ｓ１〜Ｓｍが波長選択阻止器２５−１〜２５−ｍに入力される。波長選択阻止器２５−１〜２５−ｍで選択された波長の光信号は、光カプラ２４−１〜２４−ｍを介して各光ファイバ伝送路１〜ｍにそれぞれ出力される。
【００１９】
なお、本実施形態の構成は、図１０に示す従来の冗長系の構成例に対して、波長合波器２３−１〜２３−ｍと光カプラ２４−１〜２４−ｍとの間に、それぞれ波長選択阻止器２５−１〜２５−ｍを挿入したものであり、冗長系の光スイッチモジュール２０を迂回させる光信号を選択的に通過させるようにしたことを特徴としている。同様の波長選択阻止器２５−１〜２５−ｍは、光スイッチモジュール１０，２０の入力側で、光カプラ２１−１〜２１−ｍと波長分波器２２−１〜２２−ｍとの間にそれぞれ挿入してもよい。
【００２０】
図１の構成において、例えばｎ＝８（波長λ１〜λ８）の場合に、波長合波器１３−１〜１３−ｍおよび冗長系の波長合波器２３−１〜２３−ｍには、光スイッチモジュール１０，２０でクロスコネクトされた波長λ１〜λ８の光信号がそれぞれ入力される。通常、現用系の光スイッチモジュール１０が正常な場合には、波長選択阻止器２５−１〜２５−ｍで全波長の光信号を阻止し、冗長系の光スイッチモジュール２０から出力された光信号が光スイッチモジュール１０から出力された光信号に合流することを阻止する。
【００２１】
ここで、入力側の光ファイバ伝送路１から出力側の光ファイバ伝送路ｍにクロスコネクトされる波長λ２の光信号が、光スイッチモジュール１０の故障によってクロスコネクトされない場合について説明する。この場合、同光信号は、光スイッチモジュール２０で同様にクロスコネクトされて波長合波器２３−ｍに出力されるので、対応する波長選択阻止器２５−ｍの通過波長をλ２に設定することにより、波長合波器２３−ｍで合波された波長多重光信号から波長λ２の光信号のみが通過させる。波長選択阻止器２５−ｍの透過特性を図２に示す。これにより、光スイッチモジュール１０でクロスコネクトされ、波長合波器１３−ｍで合波される波長λ１，λ３〜λ８の光信号と、光スイッチモジュール２０を迂回した波長λ２の光信号が光カプラ２４−ｍで結合され、光ファイバ伝送路１に出力することができる。
【００２２】
また、他の波長の光信号に異常が発生した場合には、対応する波長選択阻止器にその波長の光信号が通過するように設定すればよい。また、他の光ファイバ伝送路に出力される光信号についても同様であり、それぞれ波長ごとに個別に冗長系を構成することができる。また、図９に示すような波長変換器を用いる構成においても同様である。
【００２３】
図３は、波長選択阻止器２５の構成例を示す。図３(1) に示す波長選択阻止器２５は、上記の例では波長λ１〜λ８の光信号を合分波する波長分波器２５１と波長合波器２５２との間に、各波長ごとに光スイッチ（または光可変減衰器）２５３−１〜２５３−８を配置し、通過させる波長に対応する光スイッチのみを「通過」に設定する。このような波長選択阻止器２５としては、液晶型またはＭＥＭＳ型などの光スイッチを用いて構成することができる。図３(2) に示す波長選択阻止器２５は、光カプラ２５４，２５５との間に、１以上の波長可変光フィルタ２５６を配置し、各波長可変フィルタに通過させる波長を設定する。
【００２４】
（第２の実施形態）
図４は、本発明の光クロスコネクト装置の第２の実施形態を示す。
第１の実施形態は、冗長系の光スイッチモジュール２０でクロスコネクトされ、さらに合波した波長多重光信号から波長選択阻止器２５で迂回させる波長のみを通過させる構成であったが、本実施形態の特徴は冗長系の光スイッチモジュール２０の出力ポートに出力をオンオフする機能を付加したところにある。本機能は、通常（異常がない場合）、すべてのポートに対して出力を生じないように制御し、現用系の光スイッチモジュール１０で異常が生じた光信号（波長）に対してのみ、対応する光信号の出力が生じるように制御する。
【００２５】
本機能としては、光スイッチモジュール２０の各出力ポートに光スイッチまたは光可変減衰器を設置することにより対応可能である。また、光スイッチモジュール２０の出力側に波長変換器を備える構成であれば、波長変換器に同様の機能をもたせてもよい。また、光スイッチモジュールとして、微小ミラーの角度制御により入出力ポート間の接続切り替えが可能な３次元ＭＥＭＳ光スイッチを用いる場合には、波長ごとの阻止または通過機能を付加的部品なしに実現できる。
【００２６】
（第３の実施形態）
図５は、本発明の光クロスコネクト装置の第３の実施形態を示す。
本実施形態の特徴は、冗長系の光スイッチモジュール２０に光ファイバ伝送路１〜ｍと対になる光ファイバ伝送路１′〜ｍ′を接続して非優先トラフィックの伝送を行い、現用系の光スイッチモジュール１０で障害が発生した光信号（波長）について、非優先トラフィックの対応する波長の光信号と入れ換えて冗長系の光スイッチモジュール２０を迂回させるところにある。なお、光ファイバ伝送路１〜ｍの波長多重光信号Ｓ１〜Ｓｍと、光ファイバ伝送路１′〜ｍ′の波長多重光信号Ｓ１′〜Ｓｍ′は、光スイッチモジュール１０，２０におけるクロスコネクト経路が全く同じになるような関係である。
【００２７】
ここでは、入力側の光ファイバ伝送路１′〜ｍ′に波長選択スイッチ３１−１〜３１−ｍを接続し、光ファイバ伝送路１〜ｍに接続される光カプラ２１−１〜２１−ｍで分岐した波長多重光信号Ｓ１〜Ｓｍを波長選択スイッチ３１−１〜３１−ｍに入力する。波長選択スイッチ３１−１〜３１−ｍは、通常の（異常がない）場合に、光ファイバ伝送路１′〜ｍ′から入力する波長多重光信号Ｓ１′〜Ｓｍ′を通過し、現用系で異常が生じた光信号（波長）があれば、その光信号（波長）に対してのみ、波長多重光信号Ｓ１〜Ｓｍと波長多重光信号Ｓ１′〜Ｓｍ′との間で入れ換えを行う。同様に、出力側の光ファイバ伝送路１′〜ｍ′に波長選択スイッチ３２−１〜３２−ｍを接続する。波長選択スイッチ３２−１〜３２−ｍは、通常の（異常がない）場合に、光スイッチモジュール２０でクロスコネクトされた波長多重光信号Ｓ１′〜Ｓｍ′を光ファイバ伝送路１′〜ｍ′に出力し、現用系で異常が生じた光信号（波長）があれば、その光信号（波長）のみ波長多重光信号Ｓ１′〜Ｓｍ′から分波し、光カプラ２４−１〜２４−ｍを介して出力側の光ファイバ伝送路１〜ｍに結合する。
【００２８】
図５に示す例は、入力側の光ファイバ伝送路１から出力側の光ファイバ伝送路ｍにクロスコネクトされる波長λ１の光信号について、現用系の光スイッチモジュール１０で障害が発生した場合に、入力側の光ファイバ伝送路１に接続される光カプラ２１−１で分岐させた波長多重光信号Ｓ１を波長選択スイッチ３１−１に入力し、波長多重光信号Ｓ１の波長λ１の光信号と、光ファイバ伝送路１′から入力する波長多重光信号Ｓ１′の波長λ１の光信号と入れ換えを行う。ここで入れ換えられた波長多重光信号Ｓ１の波長λ１の光信号は、冗長系の光スイッチモジュール２０、波長合波器２３−ｍ、波長選択スイッチ３２−ｍを介して、出力側の光ファイバ伝送路ｍに接続される光カプラ２４−ｍに入力され、光スイッチモジュール１０でクロスコネクトされた波長λ２〜λｎの波長多重光信号とともに出力側の光ファイバ伝送路ｍに出力される。
【００２９】
このように、光ファイバ伝送路１〜ｍの波長多重光信号Ｓ１〜Ｓｍに対して、光ファイバ伝送路１′〜ｍ′の波長多重光信号Ｓ１′〜Ｓｍ′の優先度が低い場合に、光スイッチモジュール１０の故障により波長多重光信号Ｓ１〜Ｓｍの中の一部の光信号（波長）のクロスコネクトができなくなったとき、波長多重光信号Ｓ１′〜Ｓｍ′の対応する光信号（波長）と入れ換え、光スイッチモジュール２０を介してクロスコネクトすることができる。この場合、波長多重光信号Ｓ１′〜Ｓｍ′の他の光信号はそのまま光スイッチモジュール２０でクロスコネクトされ、光ファイバ伝送路１′〜ｍ′に出力される。
【００３０】
（第４の実施形態）
図６は、本発明の光クロスコネクト装置の第４の実施形態を示す。
本実施形態は、第３の実施形態と異なり、光ファイバ伝送路１〜ｍの波長多重光信号Ｓ１〜Ｓｍの優先度と、光ファイバ伝送路１′〜ｍ′の波長多重光信号Ｓ１′〜Ｓｍ′の優先度の関係は固定ではなく逆転する場合があることを想定している。すなわち、光ファイバ伝送路１′〜ｍ′の波長多重光信号Ｓ１′〜Ｓｍ′に対して、光ファイバ伝送路１〜ｍの波長多重光信号Ｓ１〜Ｓｍの優先度が低くなった場合に、光スイッチモジュール２０の故障により波長多重光信号Ｓ１′〜Ｓｍ′の中の一部の光信号（波長）のクロスコネクトができなくなったとき、波長多重光信号Ｓ１〜Ｓｍの対応する光信号（波長）と入れ換え、光スイッチモジュール１０を介してクロスコネクトさせる。
【００３１】
そのために、入力側の光ファイバ伝送路１′〜ｍ′に接続される波長選択スイッチ３１−１〜３１−ｍに、双方向で任意の光信号（波長）の入れ換えを行う機能を付加するとともに、同様の波長選択スイッチ３３−１〜３３−ｍを入力側の光ファイバ伝送路１〜ｍに接続する。また、出力側の光ファイバ伝送路１′〜ｍ′に接続される波長選択スイッチ３２−１〜３２−ｍに、双方向で任意の光信号（波長）の入れ換えを行う機能を付加するとともに、同様の波長選択スイッチ３４−１〜３４−ｍを出力側の光ファイバ伝送路１〜ｍに接続する。
【００３２】
図６に示す例は、まず光ファイバ伝送路１〜ｍの波長多重光信号Ｓ１〜Ｓｍの優先度が、光ファイバ伝送路１′〜ｍ′の波長多重光信号Ｓ１′〜Ｓｍ′の優先度に対して高い場合である。入力側の光ファイバ伝送路１から出力側の光ファイバ伝送路ｍにクロスコネクトされる波長λ１の光信号について、光スイッチモジュール１０で障害が発生した場合に、入力側の光ファイバ伝送路１に接続される波長選択スイッチ３３−１で波長多重光信号Ｓ１の中の波長λ１の光信号を分波し、入力側の光ファイバ伝送路１′に接続される波長選択スイッチ３１−１に入力し、光ファイバ伝送路１′から入力する波長多重光信号Ｓ１′の波長λ１の光信号と入れ換えを行う。ここで入れ換えた波長多重光信号Ｓ１の波長λ１の光信号は、光スイッチモジュール２０、波長合波器２３−ｍ、波長選択スイッチ３２−ｍを介して、出力側の光ファイバ伝送路ｍに接続される波長選択スイッチ３４−ｍに入力され、光スイッチモジュール１０でクロスコネクトされた波長λ２〜λｎの波長多重光信号とともに出力側の光ファイバ伝送路ｍに出力される。このとき、光ファイバ伝送路１′の波長多重光信号Ｓ１′の波長λ１の光信号の伝送は停止する。
【００３３】
次に、光ファイバ伝送路１〜ｍの波長多重光信号Ｓ１〜Ｓｍの優先度が、光ファイバ伝送路１′〜ｍ′の波長多重光信号Ｓ１′〜Ｓｍ′の優先度に対して逆転して低くなった場合である。まず、入力側の光ファイバ伝送路１から光スイッチモジュール２０を迂回して出力側の光ファイバ伝送路ｍにクロスコネクトされる波長λ１の光信号は、光ファイバ伝送路１′に接続される波長選択スイッチ３１−１で阻止され、光ファイバ伝送路１′の波長多重光信号Ｓ１′のクロスコネクトが優先される。
【００３４】
次に、入力側の光ファイバ伝送路１′から出力側の光ファイバ伝送路ｍ′にクロスコネクトされる波長λ１の光信号について、光スイッチモジュール２０で障害が発生した場合に、入力側の光ファイバ伝送路１′に接続される波長選択スイッチ３１−１で波長多重光信号Ｓ１′の中の波長λ１の光信号を分波し、入力側の光ファイバ伝送路１に接続される波長選択スイッチ３３−１に入力し、光ファイバ伝送路１から入力する波長多重光信号Ｓ１の波長λ１の光信号と入れ換えを行う。ここで入れ換えられた波長多重光信号Ｓ１′の波長λ１の光信号は、光スイッチモジュール１０、波長合波器１３−１、波長選択スイッチ３４−１を介して、出力側の光ファイバ伝送路ｍ′に接続された波長選択スイッチ３２−ｍに入力され、光スイッチモジュール２０でクロスコネクトされた波長λ２〜λｎの波長多重光信号とともに出力側の光ファイバ伝送路ｍ′に出力される。このとき、光ファイバ伝送路１の波長多重光信号Ｓ１の波長λ１の光信号の伝送は停止する。
【００３５】
なお、波長多重光信号Ｓ１〜Ｓｍ、Ｓ１′〜Ｓｍ′の優先度ではなく、他方の当該波長の光信号が停止状態であれば迂回処理を行うように設定してもよい。
【００３６】
（第５の実施形態）
図７は、本発明の光クロスコネクト装置の第５の実施形態を示す。
本実施形態は、第３の実施形態と基本的には同じであるが、入力側の光ファイバ伝送路１〜ｍの波長多重光信号Ｓ１〜Ｓｍのうち、故障した光信号（波長）のみを入力側の光ファイバ伝送路１〜ｍに接続された波長選択反射器３５−１〜３５−ｍで反射し、光カプラ２１−１〜２１−ｍを介して入力側の光ファイバ伝送路１′〜ｍ′に接続された波長選択スイッチ３１−１〜３１−ｍに入力する。その他の構成および動作は第３の実施形態と同様である。
【図面の簡単な説明】
【００３７】
【図１】第１の実施形態の構成を示す図。
【図２】波長選択阻止器２５−ｍの透過特性を示す図。
【図３】波長選択阻止器２５の構成例を示す図。
【図４】第２の実施形態の構成を示す図。
【図５】第３の実施形態の構成を示す図。
【図６】第４の実施形態の構成を示す図。
【図７】第５の実施形態の構成を示す図。
【図８】波長多重光伝送システムに用いられる光クロスコネクト装置の構成例を示す図。
【図９】波長多重光伝送システムに用いられる光クロスコネクト装置の構成例を示す図。
【図１０】従来の光クロスコネクト装置の冗長系の構成例を示す図。
【符号の説明】
【００３８】
１〜ｍ  光ファイバ伝送路
１０，２０  光スイッチモジュール
１２，２２  波長分波器
１３，２３  波長合波器
１４  波長変換器
２１，２４  光カプラ
２５  波長選択阻止器
３１，３２，３３，３４  波長選択スイッチ
３５  波長選択反射器
【図１】
2008042245.tif 000003
【図２】
2008042245.tif 000004
【図３】
2008042245.tif 000005
【図４】
2008042245.tif 000006
【図５】
2008042245.tif 000007
【図６】
2008042245.tif 000008
【図７】
2008042245.tif 000009
【図８】
2008042245.tif 000010
【図９】
2008042245.tif 000011
【図１０】
2008042245.tif 000012